(57)【特許請求の範囲】
【請求項１】
バーナの燃焼熱により通水する水を加熱して湯を作成し、当該湯を給湯先に供給する給湯熱交換器と、浴槽水を循環させる循環ポンプ組み込みの追い焚き循環通路に介設された追い焚き熱交換器と、モータによって動作させる複数の流路切り替え弁とを備え、装置運転の動作モードにはモータによって動作させる２個以上の流路切り替え弁の各モータを同時に動作させるモータ同時動作モードを有する給湯風呂装置において、前記同時に動作させるモータを制御駆動するためのモータ同時動作モードの制御駆動回路を形成したモータ同時動作モード用の回路基板を前記モータ同時動作モード以外の装置動作を制御するためのメイン制御回路を形成したメイン制御基板とは別個に設け、前記モータ同時動作モードの制御駆動回路は同時に駆動する複数のモータの駆動をずらして１個づつ順次駆動交代する回路構成と成し、その１個づつ順次駆動交代するモータ駆動の電源は前記メイン制御基板から直接的に又は給湯風呂装置を遠隔制御するリモコンを経由して供給される構成とし、前記給湯熱交換器はバーナによる燃焼ガスの顕熱を吸熱するメイン熱交換器と該メイン熱交換器よりも燃焼ガスの流れの下流側に設けられて燃焼ガスの潜熱を回収する潜熱熱交換器とにより形成され、給水路から供給される水を前記潜熱熱交換器に通した後にさらに前記メイン熱交換器に通して給湯する構成と成し、前記潜熱熱交換器で生じるドレン水を貯留するドレンタンクを備え、該ドレンタンク内のドレン水を排出するドレンタンク排出路の出口と前記給湯熱交換器側から供給される給水の水又は給湯の湯の湯・水供給通路の出口とを選択的にポンプ連通用通路の入口に切り替える第１の切り替え弁と、前記ポンプ連通用通路の出口と浴槽から循環ポンプの吸い込み口に向う追い焚き循環通路の一部位の通路とを選択的に前記循環ポンプの吸い込み口に切り替える第２の切り替え弁とを有し、モータによって同時に動作させるための流路切り替え弁は前記第１および第２の切り替え弁であることを特徴とする請求項１記載の給湯風呂装置。
【請求項２】
ドレンタンクからドレンを排水するドレン排水運転モードの動作開始時には、最初に第２の切り替え弁のモータを動作させてポンプ連通用通路の出口を循環ポンプの給水口側に切り替え、次に第１の切り替え弁のモータに駆動交代させてドレンタンク排出路の出口をポンプ連通用通路の入口へ切り替えるという如く、第２の切り替え弁、第１の切り替え弁の順序で各切り替え弁のモータを駆動交代させることを特徴とする請求項１記載の給湯風呂装置。
【発明の詳細な説明】
【技術分野】
【０００１】
本発明は、通水の水を加熱して作成した湯を給湯したり、浴槽へ湯張りする機能を備えた給湯風呂装置に関するものである。
【背景技術】
【０００２】
図２には本出願人が開発中の給湯風呂装置のシステム構成が示されている。同図において、燃焼器具１の燃焼室２内には給湯熱交換器と追い焚き熱交換器１２とが配置されている。給湯熱交換器はメイン熱交換器３と潜熱熱交換器４とから成る。メイン熱交換器３の下方側には１つ以上（図では３個）の給湯バーナ５が配置されており、追い焚き熱交換器１２の下方側には追い焚きバーナ１３が配置されている。
【０００３】
これら、給湯バーナ５と追い焚きバーナ１３はそれぞれ分岐ガス管８に連通接続されており、各分岐ガス管８は基幹ガス管７に統合されている。各分岐ガス管８にはガス弁１１が介設されており、基幹ガス管７には元ガス弁９と比例弁１０が設けられている。比例弁１０は給湯バーナ５や、追い焚きバーナ１３に供給するガス量を開弁量によって調整するものであり、その開弁量の制御は制御装置によって行われている。燃焼室２の下部側に設けられている燃焼ファン６はファン回転によって給湯バーナ５および追い焚きバーナ１３へ給排気の空気を供給する。ファン回転数は制御装置によって制御されている。制御装置はバーナ５、１３の燃焼量にマッチングした風量を対応するバーナ５、１３に供給すべく燃焼ファン６のファン回転数を制御する。
【０００４】
前記潜熱熱交換器４はメイン熱交換器３よりも上方側（燃焼ガスの流れの下流側）に配置されている。潜熱熱交換器４の入水口には給水管１４が接続され、潜熱熱交換器４の出口はメイン熱交換器３の入水口に連通接続され、メイン熱交換器３の出口には給湯管１５が接続されている。メイン熱交換器３は給湯バーナ５による燃焼ガスの顕熱を吸熱し、潜熱熱交換器４は主に燃焼ガスの潜熱を吸熱して給水管１４から供給される水を加熱して設定温度（リモコン等により設定される給湯の設定温度）の湯を作り出し、給湯管１５を通してその湯を給湯の要求先に供給する。
【０００５】
潜熱熱交換器４の下部側には燃焼ガスの潜熱回収時に発生するドレンを受けるドレン受１６が配置されており、このドレン受１６に受け止められたドレンはドレン管１７を通して中和器１８に入り込む。中和器１８には炭酸カルシウム等の中和剤が充填されており、酸性を有するドレン水が中和される。この中和されたドレン水は下側のドレンタンク１９に貯留される。
【０００６】
前記追い焚き熱交換器１２の入水口には管路２９の一端側が接続されており、管路２９の他端側は循環ポンプ４７のポンプ吐出口２６に接続されている。追い焚き熱交換器１２の出口は往管３０の一端側に接続され、往管３０の他端側はアダプタ３１を介して浴槽３２に接続されている。この往管３０には第３の切り替え弁３５が介設されており、第３の切り替え弁３５は追い焚き熱交換器１２側から往管３０を通して流れてくる流水を浴槽３２側への通路と排水通路４８への通路との一方側へ選択的に切り替えるもので、排水通路４８は浴室内に配置されており、排水通路４８から排出された流水は浴室の洗い場の排水口に入り、外部へ排水される構成と成している。図２の例では、第３の切り替え弁３５はドレン排水切り替えユニット３６としてユニットの形態で構成されて、往管３０に組み込まれている。
【０００７】
前記循環ポンプ４７のポンプ吸い込み口２５は第２の切り替え弁３４を介して戻り管２８に連通接続されており、浴槽３２、戻り管２８、その戻り管２８の分岐通路２８ａ、２８ｂのうちの一方側の分岐通路２８ａ、循環ポンプ４７、管路２９、追い焚き熱交換器１２、往管３０、第３の切り替え弁３５を順に介して浴槽３２に戻る通路は追い焚き循環通路２７を形成している。
【０００８】
前記給湯管１５には湯・水供給通路２０の一端側が接続され、湯・水供給通路２０の他端側は注湯・注水電磁弁４４を介して第１の切り替え弁３３に接続されている。第１の切り替え弁３３にはドレンタンク排出路２３の出口とポンプ連通用通路２４の入口側が接続されており、ドレンタンク排出路２３の入口側は逆止弁２２を介してドレンタンク１９の底部に連通接続されている。また、ポンプ連通用通路２４の出口は第２の切り替え弁３４に接続されている。第１の切り替え弁３３は湯・水供給通路２０とドレンタンク排出路２３との一方側を選択的にポンプ連通用通路２４へ切り替えるものである。
【０００９】
また、前記第２の切り替え弁３４は四方弁として機能し、戻り管２８の分岐通路２８ｂを循環ポンプ４７のポンプ吸い込み口２５に接続する動作と、ポンプ連通用通路２４を循環ポンプ４７のポンプ吸い込み口２５に接続する動作と、戻り管２８の分岐通路２８ｂを循環ポンプ４７のポンプ吸い込み口２５に接続し、かつ、戻り管２８の分岐通路２８ａをポンプ連通用通路２４に接続する動作とを制御装置からの指令に応じ選択的に行うものである。
【００１０】
上記第１の切り替え弁３３、第２の切り替え弁３４、第３の切り替え弁３５はそれぞれモータを備え、モータの駆動によって通路（流路）を切り替える構成と成している。このようなモータ駆動によって通路（流路）を切り替える弁は周知であるので、この弁の具体的な構成や、その作用の説明は省略する。
【００１１】
なお、図２中、３７は湯水温を検出するサーミスタ、３８は水量センサ、３９はバイパス通路、４０は流水流量を調節する水量サーボ、４１はバイパス通路３９に流れる給水の水量を調節するバイパスサーボ、４２は大気開放弁、４３は逆止弁、４９はドレンタンク１９からのオーバーフロー水や、大気開放弁４２から出る水を外部へ排出する排水管、２１はドレンタンク１９内に貯留されているドレン水の水位レベルを検出するための複数の水位電極、をそれぞれ示している。
【００１２】
この給湯風呂装置は、制御装置によって、給湯運転と、追い焚き運転と、湯張り運転と、ドレン排水運転と、ドレン洗浄運転との各運転動作が制御されており、以下、これらの各運転動作の一例を簡単に説明する。
【００１３】
給湯運転は給湯管１５の先方に設けられている給湯栓（図示せず）等が開かれることによって開始する。給湯栓が開かれると給水管１４に給水が導入される。この給水管１４に流れる流量が水量センサ３８によって検出されて作動流量以上に達すると、給湯バーナ５へ通じる分岐ガス管８のガス弁１１が開けられるとともに燃焼ファン６のファン回転が行われて、要求燃焼量に応じて選択された個数の給湯バーナ５の燃焼が行われ、潜熱熱交換器４およびメイン熱交換器３を通る水が加熱されて湯が作り出され、この湯が給湯管１５を通して開状態の給湯栓に供給されて出湯される。
【００１４】
追い焚き運転はリモコンによって追い焚き運転が指令されたときや、保温機能を有する器具においては浴槽湯水の温度が設定温度よりも許容範囲を越えて低下したとき等に行われる。この追い焚き運転は第２の切り替え弁３４によって戻り管２８の分岐通路２８ｂが循環ポンプ４７のポンプ吸い込み口２５に連通され、第３の切り替え弁３５によって追い焚き熱交換器１２から第３の切り替え弁３５までの往管３０の通路３０ｂが第３の切り替え弁３５から浴槽３２に至る通路部位３０ａに連通された状態で循環ポンプ４７を駆動することにより行われる。循環ポンプ４７の駆動によって、浴槽３２内の湯水が追い焚き循環通路２７を通して循環し、循環水が流水スイッチ４５によって検出されたときに燃焼ファン６の回転駆動と追い焚きバーナ１３の燃焼が開始され、循環水が追い焚き熱交換器１２を通るときに追い焚きバーナ１３の燃焼熱によって加熱され、浴槽湯水の温度が上昇する。追い焚き循環通路２７に設けたサーミスタ３７によって検出される浴槽湯水の温度がリモコンによって設定された風呂の設定温度に達した時等に循環ポンプ４７の動作が停止され、追い焚きバーナ１３の燃焼停止および燃焼ファン６の回転停止が行なわれて追い焚き運転が終了となる。
【００１５】
湯張り運転は、リモコン等により湯張り運転（自動運転）が指令されることによって開始する。湯張り運転（自動運転）が指令されると、第１の切り替え弁３３により湯・水供給通路２０をポンプ連通用通路２４に連通する動作と、第２の切り替え弁３４により戻り管２８の分岐通路２８ｂを循環ポンプ４７のポンプ吸い込み口２５に連通すると共に、戻り管２８の分岐通路２８ａをポンプ連通用通路２４に連通する動作と、第３の切り替え弁３５により往管３０の追い焚き熱交換器１２から第３の切り替え弁３５までの通路部分３０ｂを往管３０の第３の切り替え弁３５から浴槽３２に至る通路部分３０ａに連通させる動作とが行われ、この流路の切り替え状態で、注湯・注水電磁弁４４が開けられる。
【００１６】
そうすると、給水管１４から給湯熱交換器（潜熱熱交換器４およびメイン熱交換器３）に給水が導入されることにより、前記の給湯運転の動作と同様に動作して給湯熱交換器で湯張り設定温度の湯が作り出され、その湯はメイン熱交換器３から給湯管１５、湯・水供給通路２０、第１の切り替え弁３３、ポンプ連通用通路２４、第２の切り替え弁３４へと順に流れる。そして、ポンプ連通用通路２４から第２の切り替え弁３４に供給されてきた湯は、分岐通路２８ａ、戻り管２８を順に経て浴槽３２に至る流れと、分岐通路２８ａ、分岐通路２８ｂ、ポンプ吸い込み口２５、循環ポンプ４７、ポンプ吐出口２６、管路２９、追い焚き熱交換器１２、往管３０（３０ｂ）、第３の切り替え弁３５、往管３０（３０ａ）を順に経て浴槽３２に至る流れとによって、浴槽３２に落とし込まれ、浴槽３２内の湯の水位が時間の経過にともない上昇していく。そして、水位センサ４６によって水圧により検出された浴槽水位がリモコンによって設定された湯張り設定水位に達したときに注湯・注水電磁弁４４が閉じられ、湯張りの動作が終了する。
【００１７】
なお、湯張りが完了した後に保温動作や保水動作を行う機能を有する器具においては湯張りの後にそれらの運転モードに移行する。
【００１８】
ドレン排水運転は予め定められたドレン排水開始条件が満たされたときに（例えば、水位電極２１によってドレンタンク１９内のドレン水の水位が予め定めた排水レベルに達したとき等であって、例えば１日に一回又は数日に一回）運転が開始する。この運転開始に際しては、第２の切り替え弁３４によりポンプ連通用通路２４を循環ポンプ４７のポンプ吸い込み口２５に連通接続し、第３の切り替え弁３５により追い焚き熱交換器１２から第３の切り替え弁３５までの往管３０ｂの通路を排水通路４８に連通接続し、第１の切り替え弁３３によりドレンタンク排出路２３をポンプ連通用通路２４に連通接続した状態で、循環ポンプ４７を駆動する。
【００１９】
循環ポンプ４７の駆動により、ドレンタンク１９内のドレン水はドレンタンク排出路２３、ポンプ吸い込み口２５、循環ポンプ４７、ポンプ吐出口２６、管路２９、追い焚き熱交換器１２、往管３０ｂ、第３の切り替え弁３５を順に経て排水通路４８から浴室（具体的には浴室の洗い場）に排出される。
【００２０】
そして、予め定めたドレン排水終了条件に達したとき（例えば、ドレンタンク１９内のドレン水の水位が予め定めたドレン排水終了レベルに達したとき等）に循環ポンプ４７の駆動を停止し、ドレン排水運転を終了する。
【００２１】
ドレン洗浄運転はドレン排水運転によって通路に付着したドレン水を洗浄するものであり、ドレン排水運転の後に行うもので、ドレン洗浄運転の開始に際しては、第１の切り替え弁３３によりポンプ連通用通路２４を湯・水供給通路２０に連通接続し、次に、注湯・注水電磁弁４４を開動作させることにより開始する。このとき、第３の切り替え弁３５はドレン排水運転の切り替え位置のままであり、往管３０ｂは排水通路４８に連通接続された状態になっている。
【００２２】
注湯・注水電磁弁４４を開動作させることにより給水管１４から給水が給湯熱交換器（潜熱熱交換器４およびメイン熱交換器３）に入り、給湯運転時と同様に給湯バーナ５の燃焼が行われ、給湯熱交換器により湯が作り出される。この湯は、給湯管１５から湯・水供給通路２０、第１の切り替え弁３３、ポンプ連通用通路２４、循環ポンプ４７、追い焚き熱交換器１２、往管３０ｂ、第３の切り替え弁３５を順に経て排水通路４８から浴室内に排水される。注水量が予め定めた設定流量に達したとき、或いは、注水時間が予め定めた時間に達したとき等の、洗浄終了条件が満たされたときに注湯・注水電磁弁４４が閉動作され、注湯によるドレン洗浄運転が終了する。なお、給湯バーナ５を燃焼させずにドレン洗浄運転を同様に行えば、非加熱の水によってドレン洗浄運転が行われることになる。
【００２３】
このドレン洗浄運転の終了時には、第３の切り替え弁３５により往管３０ｂは往管３０ａに連通接続され、第２の切り替え弁３４により分岐通路２８ｂがポンプ吸い込み口２５に連通接続されるという如く、第２の切り替え弁３４と第３の切り替え弁３５は定位置となる追い焚き運転位置に通路の切り替えを行う。
【先行技術文献】
【特許文献】
【００２４】
【特許文献１】特公平７−９４８８７号公報
【発明の概要】
【発明が解決しようとする課題】
【００２５】
本発明者は図２に示される装置を開発している初期の段階では、第１の切り替え弁３３のモータと第２の切り替え弁３４のモータを同時に動作させるモータ同時動作モードにおいては、両切り替え弁３３、３４のモータを厳密に（完全に）同一時刻で同時駆動し、装置全体を制御する制御回路を１枚の回路基板に形成することを試みた。しかし、給湯風呂装置には、図２に示される第１の切り替え弁３３と第２の切り替え弁３４（場合においてはさらに第３の切り替え弁３５）をオプションとして装備していない装置（例えば、ドレンタンク１９内のドレン水をドレンタンク１９から循環ポンプ４７を用いず、専用の排水管を用いて屋外に排出するタイプの装置）もあり、これらの装置と回路基板を共通に使用するようにすると、切り替え弁３３、３４（場合においてはさらに第３の切り替え弁３５）のオプション装置を設けない装置の回路基板にも切り替え弁３３、３４の制御駆動のための回路を形成しなければならないので、装置コストが高くなるという問題生じる上に、切り替え弁３３、３４の両モータを同時刻で動作させるオプション装置を設けた場合と設けない場合とではモータ同時制御駆動の負荷（電圧負荷）の有無の差が大きく、実際上は共通の１枚の回路基板を共通に使用して上記のような装置構成の異なる給湯風呂装置を兼用制御する構成とするのは問題であった。
【００２６】
そこで、発明者は次に図３（ａ）に示す制御装置の制御構成を検討した。この図３（ａ）の構成は、制御装置の回路基板を親基板としてのメイン制御基板５０と、子基板５３とによって形成し、メイン制御基板５０は第１の切り替え弁３３と第２の切り替え弁３４のようなオプションの装置構成を持たない給湯風呂装置にも共通に使用可能なベースとなる給湯風呂装置のメイン制御回路を形成したものであり、さらに、そのメイン制御回路の電源回路５１′とリモコン回路５２を備えている。
【００２７】
リモコン（遠隔制御装置）は実線で示されるようにメイン制御基板５０の回路に接続されているが、１点鎖線で示すように子基板５３の回路に接続されていてもよく、両基板５０、５３のそれぞれの回路に接続される場合もある。
【００２８】
子基板５３は第１の切り替え弁３３のモータＭ１と第２の切り替え弁３４のモータＭ２とをモータ同時動作モードで完全同時刻で同時に駆動するモータＭ１、Ｍ２のモータ制御駆動回路５５を有している。メイン制御基板５０の電源回路５１′はメイン制御回路の電源（例えば、ＤＣ１２Ｖ電源）として機能する他に、モータＭ１、Ｍ２を同時刻で同時に駆動するための電源電圧をモータ制御駆動回路５５に加えている。モータ制御駆動回路５５は電源回路５１′から加えられる電圧をモータ制御駆動回路５５の回路自体の電源として利用するとともに、モータＭ１、Ｍ２を同時刻で駆動する電源電圧として利用するものである。なお、リモコン回路５２、５４は相互に通信を行うとともに、外部に設けられるリモコンと直接或いは他方のリモコン回路を経由して双方向通信を行う回路構成を備えているものである。
【００２９】
この図３（ａ）に示される制御装置の回路は、モータ同時動作モードでモータＭ１、Ｍ２を同時刻で同時に駆動する専用の回路を子基板５３に持たせているので、オプションの装置構成を持った給湯風呂装置にのみ子基板５３を装備すれば済み、親基板のメイン制御基板５０は、第１の切り替え弁３３と第２の切り替え弁３４のようなオプションの装置構成を持たない給湯風呂装置とオプションの装置構成をもった給湯風呂装置の両方に使用できることを期待したものであった。
【００３０】
しかしながら、メイン制御基板５０の電源回路５１′の電源電圧で、２個のモータＭ１、Ｍ２を同時刻で同時に動作させるためには、その分、負荷が大きくなるので電源回路５１′の容量をアップする必要が生じる。ところが、電源回路５１′の容量をアップするとメイン制御基板５０に形成するメイン制御回路のハードウェアを、オプションの装置構成をもった給湯風呂装置の場合とオプションの装置構成をもたない給湯風呂装置の場合とで代えなければならない（メイン制御回路のハードウェアを共通化できない）という問題が生じ、実際には、メイン制御基板５０をオプションの装置構成をもったものと持たないものの両方に共通使用するのが困難であり、このような困難を克服するメイン制御回路を形成しようとするとコストアップになるという問題が生じてしまう。
【００３１】
一方上記のような異なる機種間の基板共通使用の問題は、異なる機種間でも同一に使用する共通負荷の制御定数等を複数記憶して使用機種毎に異なる値を呼び出して基板を共通使用する等の解決手法がすでに提起されていたが（特許文献１参照）、ソフトウエアが異なるのではなく、ハードウエアの異なる機種間の共通使用の解決方法は提起されていなかった。
【００３２】
そこで、発明者はさらに、制御装置の回路として、図３（ｂ）に示される回路を検討した。図３（ｂ）の回路では、子基板５３′に、商用電源（１００Ｖ）に接続する電源プラグ５７を設け、この電源プラグ５７を商用電源のソケットに差し込んで使用するもので、子基板５３′には商用１００Ｖの交流電源を例えば直流１２Ｖ等の直流電源に変換する電源回路５６を設け、この電源回路５６の電源でモータ同時動作モードの動作時に２個のモータＭ１、Ｍ２を同時刻で同時駆動するものである。
【００３３】
しかし、この図３（ｂ）に示す回路は、子基板５３′にも電源回路５６を設けるため、子基板５３′がコストアップになる上に、親基板としてのメイン制御基板５０側の電源回路５１と子基板５３′側の電源回路５６との２つの電源回路を設けるために待機電力が大きくなり、省電力化が図れないという問題が生じる。
【００３４】
本発明は上記課題を解決するために成されたものであり、その目的は、複数のモータを同時駆動するモータ同時動作モードを行うオプションの装置の有無に拘わらず、親基板としてのメイン制御基板に形成するメイン制御回路に変更を伴わずに（メイン制御回路のハード構成に変更を伴わずに）兼用使用でき、しかも、親基板の電源回路の容量アップも不要にして、親基板の電源回路の電源を利用してオプションの装置を有する給湯風呂装置においてのモータ同時動作モードの駆動制御動作を支障なく行うことが可能な給湯風呂装置を提供することにある。
【課題を解決するための手段】
【００３５】
本発明は上記目的を達成するために、次に示す構成をもって課題を解決する手段と成している。すなわち、第１の発明は、バーナの燃焼熱により通水する水を加熱して湯を作成し、当該湯を給湯先に供給する給湯熱交換器と、浴槽水を循環させる循環ポンプ組み込みの追い焚き循環通路に介設された追い焚き熱交換器と、モータによって動作させる複数の流路切り替え弁とを備え、装置運転の動作モードにはモータによって動作させる２個以上の流路切り替え弁の各モータを同時に動作させるモータ同時動作モードを有する給湯風呂装置において、前記同時に動作させるモータを制御駆動するためのモータ同時動作モードの制御駆動回路を形成したモータ同時動作モード用の回路基板を前記モータ同時動作モード以外の装置動作を制御するためのメイン制御回路を形成したメイン制御基板とは別個に設け、前記モータ同時動作モードの制御駆動回路は同時に駆動する複数のモータの駆動をずらして１個づつ順次駆動交代する回路構成と成し、その１個づつ順次駆動交代するモータ駆動の電源は前記メイン制御基板から直接的に又は給湯風呂装置を遠隔制御するリモコンを経由して供給される構成とし、前記給湯熱交換器はバーナによる燃焼ガスの顕熱を吸熱するメイン熱交換器と該メイン熱交換器よりも燃焼ガスの流れの下流側に設けられて燃焼ガスの潜熱を回収する潜熱熱交換器とにより形成され、給水路から供給される水を前記潜熱熱交換器に通した後にさらに前記メイン熱交換器に通して給湯する構成と成し、前記潜熱熱交換器で生じるドレン水を貯留するドレンタンクを備え、該ドレンタンク内のドレン水を排出するドレンタンク排出路の出口と前記給湯熱交換器側から供給される給水の水又は給湯の湯の湯・水供給通路の出口とを選択的にポンプ連通用通路の入口に切り替える第１の切り替え弁と、前記ポンプ連通用通路の出口と浴槽から循環ポンプの吸い込み口に向う追い焚き循環通路の一部位の通路とを選択的に前記循環ポンプの吸い込み口に切り替える第２の切り替え弁とを有し、モータによって同時に動作させるための流路切り替え弁は前記第１および第２の切り替え弁である構成としたこと、をもって課題を解決する手段と成している。
【００３７】
さらに、第２の発明は前記第１の発明の構成を備えた上で、ドレンタンクからドレンを排水するドレン排水運転モードの動作開始時には、最初に第２の切り替え弁のモータを動作させてポンプ連通用通路の出口を循環ポンプの給水口側に切り替え、次に第１の切り替え弁のモータに駆動交代させてドレンタンク排出路の出口をポンプ連通用通路の入口へ切り替えるという如く、第２の切り替え弁、第１の切り替え弁の順序で各切り替え弁のモータを駆動交代させる構成をもって、課題を解決する手段と成している。
【発明の効果】
【００３８】
本願発明は、メイン制御回路を形成したメイン制御回路基板（親基板）とは別個にモータ同時動作モードのモータ制御駆動回路を形成したオプションの回路基板（子基板）を設ける構成としたので、メイン制御回路基板はモータ同時動作モードの機能をもたない（モータ同時動作モードの動作を行うオプションの流路切り替え弁をもたない）ベースの給湯風呂装置の制御基板としても兼用使用できるという利便性が得られる。
【００３９】
また、モータ同時動作モードでの複数のモータの駆動制御は、複数のモータを厳密に（完全に）同時刻で動作させるのではなく、モータを１個ずつタイミングをずらして順次駆動交代する制御駆動形態としたので、複数のモータを駆動する電源負荷は１個のモータを駆動する電源負荷で済む。
【００４０】
それ故、モータ同時動作モードで動作させるモータ駆動の電源を供給するメイン制御回路基板はモータ同時動作モードの機能をもたない（モータ同時動作モードの動作を行うオプションの水廻り部品をもたない）ベースの給湯風呂装置の制御基板の電源容量をもたせれば済むので、メイン制御回路基板の電源容量をアップする必要がない。そのため、メイン制御回路基板に形成するメイン制御回路の回路構成（制御回路のハード構成）は既存のモータ同時動作モードのオプション装置をもたないものと同じでよく、メイン制御回路基板に形成するメイン制御回路は既存のベースの給湯風呂装置のものをそのまま利用できる（メイン制御回路のハード構成の共通化が図れる）という便利性が得られる。
【００４１】
しかも、メイン制御基板の電源電圧を、モータ同時動作モードのモータ制御駆動回路を形成したオプションの回路基板（子基板）に供給して、モータ同時動作モードでの複数のモータを駆動できるので、オプションの回路基板（子基板）に複数のモータを駆動させるための専用の電源を設ける必要もなく、その専用の電源を不要にできる分、待機電力の省電力化を図ることもできるという効果も得られる。
【図面の簡単な説明】
【００４２】
【図１】本発明の給湯風呂装置における制御装置の回路構成の説明図である。
【図２】出願人が開発中であり、本願発明の実施の形態でもある風呂給湯装置のシステム構成図である。
【図３】本願発明者が先立って検討した制御装置の回路構成の説明図である。
【図４Ａ】本実施形態のモータ制御駆動回路５８で、使用する複数のモータの駆動タイミングを互いにずらした制御を行うドレン排水運転の動作を示すフローチャートである。
【図４Ｂ】図４Ａに続くフローチャートである。
【図４Ｃ】図４Ａに続くフローチャートである。
【図５】本実施形態における管路チェックと管路接続チェックの動作モードの構成説明図である。
【発明を実施するための形態】
【００４３】
以下に、本願発明の実施の形態を図面に基き説明する。なお、本願発明における給湯風呂装置のシステム構成の実施形態は既述した図２および「背景技術」の欄で説明した内容と同じであるので、その重複説明は省略する。
【００４４】
本願発明の特徴は給湯風呂装置の制御装置の制御回路の構成を特有な構成としたことである。図１はこの本願発明の特徴である制御装置の回路構成の実施形態を示す。なお、図１において、前記図３と共通の構成部分には同一符号を付し、その重複説明は省略又は簡易化する。
【００４５】
本願発明者がメイン制御基板５０の電源回路５１から供給される電源電圧（例えば、ＤＣ１２Ｖ）の容量を使用状態別に検討した結果は下記の通りである。（1）：ドレン排水運転やドレン洗浄運転等は、運転開始に際して各種切り替え弁によりドレン排水運転やドレン洗浄運転等に必要な管路に切換てから、循環ポンプ４７を駆動する。すなわち、追焚き運転と共通管路を使用するので、ドレン排水運転、ドレン洗浄運転によって切り替え弁で管路が切り換えられている最中は追焚きができない。
【００４６】
（2）：ドレン排水運転やドレン洗浄運転等を行っている最中であっても、図示されない給湯栓が開けられれば、給湯管１５を通してその湯を給湯の要求先に供給する。すなわちドレン排水運転、ドレン洗浄運転によって切り替え弁で管路が切り換えられている最中であっても、給湯は行われる。
【００４７】
（3）：ドレン排水運転やドレン洗浄運転等で使用する管路と、追焚き運転と共通管路に使用しないように専用の管路を設け、かつ、専用のドレン排水用ポンプを設ける場合では、切り替え弁で管路が切り換えられている最中でも追焚き運転ができ、利便性が高い。
【００４８】
上記使用状態から電源容量を検討した結果、ドレン排水運転やドレン洗浄運転等と追焚き運転とを共通管路で行う本願発明においては、例えばガス弁１１のうち追焚き運転に使用するガス弁はドレン排水運転やドレン洗浄運転等の時に使用することはなく、前記ガス弁は電源回路５１から供給される電源電圧（例えば、ＤＣ１２Ｖ）を使用しており、ガス弁に流れる電流で切り替え弁のモータ１ヶならば、モータに流れる電流をまかなえるがごとく、追焚きに使用する電源回路５１から供給される電源容量分をドレン排水運転やドレン洗浄運転等で使用する切り替え弁のモータ等分に転用できるとの結論に至った。
【００４９】
本実施形態の制御装置もメイン制御基板５０と子基板５３とにより構成される。メイン制御基板５０は電源回路５１とリモコン回路５２を有して構成され、図３（ｂ）に示されるメイン制御基板５０の構成と同じであり、モータ同時動作モードで動作させるオプションの切り替え弁（流路切り替え弁）３３、３４をもたないベースの給湯風呂装置の制御装置の回路基板と同一構成のもの（制御回路のハード構成が同じもの）である。
【００５０】
本実施形態の制御装置の構成が図３（ｂ）のものと異なる点は子基板５３の回路構成である。子基板５３はリモコン回路５４とモータ制御駆動回路５８を有して構成され、リモコン回路５４は図３（ａ）、（ｂ）に示されているものと同一構成であるが、モータ制御駆動回路５８は図３（ａ）、（ｂ）のものと異なる特有な回路構成と成している。
【００５１】
すなわち、モータ制御駆動回路５８はモータ同時動作モードでの第１の切り替え弁３３のモータＭ１と第２の切り替え弁３４のモータＭ２の駆動を厳密に（完全に）同時刻で動作させるのではなく、駆動タイミングを互いにずらし、先ず、一方の切り替え弁のモータを駆動して流路を切り替え完了したときに当該一方のモータへの通電を停止し、次に、他方側の切り替え弁のモータを駆動して流路を切り替えるという如く、第１の切り替え弁３３のモータＭ１と第２の切り替え弁３４のモータＭ２とを交代駆動させている。
【００５２】
このように、モータ同時動作モードで第１の切り替え弁３３と第２の切り替え弁３４を駆動させる場合に、第１の切り替え弁３３のモータＭ１と第２の切り替え弁３４のモータＭ２とを交代駆動させるために、２個のモータを駆動するにも拘わらずその電源容量は１個のモータを駆動する電源容量で済む。
【００５３】
そのため、その電源容量はメイン制御基板５０の電源回路５１から供給される電源電圧（例えば、ＤＣ１２Ｖ）で十分足りる。したがって、第１の切り替え弁３３のモータＭ１と第２の切り替え弁３４のモータＭ２とを完全同時刻で駆動する場合には必要となる図３（ａ）の電源回路５１′の電源容量アップのための回路変更や、図３（ｂ）のモータ駆動専用の電源回路５６のような回路追加の必要はなく、制御装置の回路構成を簡易化できる上に、図３（ｂ）に示すような２つの電源回路５１、５６を用意する必要もないので待機電力の省電力化も図れる。
【００５４】
なお、モータ制御駆動回路５８の回路を動作させてモータＭ１、Ｍ２を駆動する電源はメイン制御基板５０の電源回路５１からモータ制御駆動回路５８に直接的に供給してもよく、電源回路５１からリモコンを介してモータ制御駆動回路５８に供給するようにしてもよいものである。例えば往管３０に介設されている第３の切り替え弁３５は浴室の浴槽近傍に設置されることから、浴室に設置してあるリモコンを介して電源電圧（例えば、ＤＣ１２Ｖ）の供給を受けるとともに、リモコン線の電源電圧に重畳される信号を受けて切り替え弁３５を動作させるようにしても良い。すなわち図４に示される太線枠内の制御を一つのパッケージとして３個のモータを駆動するにも拘わらずその電源容量は１個のモータを駆動する電源容量で済む。
【００５５】
本実施の形態においては、ドレン排水運転（図４Ａ〜図４Ｃ参照）の動作開始時のモータ同時動作モードにおいては、第１の切り替え弁３３と第２の切り替え弁３４のうち、先ず最初に第２の切り替え弁３４のモータＭ２を駆動してポンプ連通用通路２４の出口を循環ポンプ４７のポンプ吸い込み口２５に切り替える動作を行った後に、第１の切り替え弁３３のモータＭ１を駆動してポンプ連通用通路２４の入口をドレンタンク排出路２３の出口に切り替える動作を行う（モータＭ２、モータＭ１の順序でモータＭ１、Ｍ２を交代駆動する）ので、流路切り替え動作時に、ドレンタンク１９内からのドレン水が第２の切り替え弁３４から分岐通路２８ａ、２８ｂや、戻り管２８等のドレン水の排水運転時にドレン水が通過する通路以外の通路に入り込んでその通路内を汚染してしまうという不具合発生を防止できる。
【００５６】
なお、本発明は図１、図２に示した実施形態例に限定されず、本発明の技術思想を逸脱しない範囲で様々な実施の形態をとり得る。たとえば、上記実施形態ではモータ同時動作モードで２つのモータＭ１、Ｍ２を交代駆動する構成としたが、モータ同時動作モードで３個以上のモータを同時動作させる構成を給湯風呂装置のシステムに組み込む場合には、その３個以上の流路切り替え弁のモータを交代駆動させる構成としてもよい。
【００５７】
例えば往管３０にある第３の切り替え弁３５のモータＭ３駆動を第２の切り替え弁３４のモータＭ２駆動動作後に動作させ、続いて、第１の切り替え弁３３のモータＭ１を駆動させるようにしても良い。
【００５８】
さらに、図５に示すような、管路チェック動作モードと管路接続チェック動作モードを設けて、前記各チェック動作モード時にも、モータ制御駆動回路５８はモータ駆動を厳密に（完全に）同時刻で動作させるのではなく、駆動タイミングを互いにずらすようにしても良い。
【００５９】
管路チェック動作モードの制御部は主として燃焼器具を新規に設置する施工時に、燃焼器具を設置場所に据え付けて、燃焼器具内の追い焚き熱交換器に連通させる追い焚き循環通路を形成するための２本の配管（管路）のそれぞれ一端側を燃焼器具側（より具体的には燃焼器具の装置のケース側）の管路接続位置に接続した後に、往管３０にある第３の切り替え弁３５のモータＭ３が入った、ドレン排水切り替えユニット（第３の切り替え弁３５）を往管３０に接続するために、燃焼器具から導出されている追い焚き循環通路用の２本の配管のうちどちらの配管が往管であるかを見分けるために行う動作を制御するものである。
【００６０】
この管路チェック動作モードでは、第２の切り替え弁（注湯・注水流路切り替え弁）３４を動作させて湯・水供給通路（具体的にはポンプ連通用通路２４）を循環ポンプ４７のポンプ吸い込み口２５側へ切り替え（この動作時にはすでにタイミングをずらして第１の切り替え弁３３は湯・水供給通路２０をポンプ連通用通路２４へ連通させた流路切り替えの定位置にある）、注湯・注水電磁弁４４を開動作させる。
【００６１】
そうすると、給水管に入水する水が潜熱熱交換器、メイン熱交換器、給湯管を順に通って湯・水供給通路に入り、さらに、第１の切り替え弁３３、湯・水供給通路２０として機能しているポンプ連通用通路２４、第２の切り替え弁３４、ポンプ吸い込み口２５、循環ポンプ４７、ポンプ吐出口、管路、追い焚き熱交換器を順に通って往管の先端から流出する。
【００６２】
燃焼器具の設置施工の作業者は燃焼器具側から導出されている追い焚き循環通路用の２本の配管のうちの一方側からのみ水（給湯バーナ５を燃焼させた場合は湯）が流出するので、この流出する水を見て２本の配管のうち水が流出する方の配管が往管であると認識できるものである。
【００６３】
また、管路接続チェック動作モードの制御部６１は、ドレン排水切り替えユニット３６（第３の切り替え弁３５）が組み込まれている追い焚き循環通路の配管接続作業が終了した後の段階で、追い焚き循環通路の往管に正しくドレン排水切り替えユニット３６（第３の切り替え弁３５）が組み込まれている状態で往管が浴槽３２（アダプタ３１）の往管接続位置に正しく接続されているか否かを検査する制御動作を行うものであり、この制御動作は、浴槽３２内の水（又は湯）を循環ポンプ４７の駆動によって追い焚き循環通路２７を通して循環可能な水位の残水が有るか否かを判断する。すなわち、循環ポンプ４７を駆動させての流水スイッチ４５のオン信号に基づき循環可能な水位の残水が有るか否かを判断する。浴槽３２内にその水位レベルの残水があるときには管路接続チェック動作モードの制御動作を進行させ、残水がないときにはその制御動作の進行を停止する。
【００６４】
一般に、給湯風呂装置の設置が完了した段階で、浴槽３２への湯張りの試運転が行われるので残水はある。
【００６５】
管路接続チェック動作モードの制御部６１は、浴槽３２内に残水があることを確認したときには、第３の切り替え弁３５を制御して往管を排水通路４８へ切り替え、往管と排水通路４８を連通させる。そして、循環ポンプ４７を駆動する。この動作モード時には第２の切り替え弁３４は流路切り替えの定位置の状態にあり、循環ポンプ４７のポンプ吸い込み口２５が戻り管２８の分岐通路に切り替えられているので、ドレン排水切り替えユニット３６（第３の切り替え弁３５）が組み込まれている往管が、正しくアダプタ３１の往管接続位置に接続されている場合には、循環ポンプ４７の駆動により、浴槽３２内の残水は、戻り管２８、分岐通路、ポンプ吸い込み口２５、循環ポンプ４７、ポンプ吐出口２６、管路２９、追い焚き熱交換器１２、往管、第３の切り替え弁３５を順に経て排水通路４８から残水が排出される。
【００６６】
これに対し、ドレン排水切り替えユニット３６（第３の切り替え弁３５）が往管でなく戻り管に接続されていたり、往管に接続されていても、間違って接続（６通りあり５通りが間違い）されている場合には、循環ポンプ４７を駆動しても浴槽３２の残水が循環ポンプ４７に吸い込まれることが無かったり、空気を吸い込んだり、浴槽に排出したりするので、循環可能な水位の残水が無いと判断されたり、排水通路４８から残水が排出されることはないし、残水が排出されてもすぐに止まる。
【００６７】
したがって、作業者は、循環ポンプ４７が駆動された後に排水通路４８から浴槽３２の残水が排出されたことを目で見て確認できたときには、ドレン排水切り替えユニット３６（第３の切り替え弁３５）が正しく接続されていることを確認でき、そうでない場合には誤って接続されていることが分かり、その場で、配管接続を正しくやり直すことができるというものである。
【００６８】
なお、風呂給湯装置の電源コードをコンセントに差し込んだときや停電からの復帰時の電源オンを、メイン制御基板５０または子基板５３が感知した時には、速やかに切替弁等を制御してドレン洗浄運転時の経路を形成して、湯張り運転、自動運転、保温動作、保水動作、追い焚き運転等追い焚き循環通路を使用する動作開始時までドレン洗浄運転時の経路状態で待機するようにしても良い。このようにすると、速やかに追い焚き循環通路を使用する動作開始動作に先立つ呼水動作を行うことができる。
【産業上の利用可能性】
【００６９】
本発明は、複数のモータ駆動の流路切り替え弁を備えた給湯風呂装置において、複数の流路切り替え弁を同時に駆動するモータ同時動作モードの機能を備える装置への適用に適している。
【符号の説明】
【００７０】
１      燃焼器具
３      メイン熱交換器
４    潜熱熱交換器
１２    追い焚き熱交換器
１９    ドレンタンク
２０    湯・水供給通路
２３    ドレンタンク排出路
２４    ポンプ連通用通路
２５    ポンプ吸い込み口
２６    ポンプ吐出口
２７    追い焚き循環通路
２８    戻り管
２８ａ、２８ｂ    分岐通路（戻り管分岐通路）
３０    往管
３３    第１の切り替え弁
３４    第２の切り替え弁
５０    メイン制御基板（親基板）
５１    電源回路
５２、５４    リモコン回路
５３    子基板
５８    モータ制御駆動回路
Ｍ１、Ｍ２    モータ
【図１】
0005612994.tif 000002
【図２】
0005612994.tif 000003
【図３】
0005612994.tif 000004
【図４Ａ】
0005612994.tif 000005
【図４Ｂ】
0005612994.tif 000006
【図４Ｃ】
0005612994.tif 000007
【図５】
0005612994.tif 000008